(57)【要約】【課題】  外筒に膨出部を形成しなくて済み、かつ、鍵違い変換作業が容易な可変レバータンブラー錠を提供する。【解決手段】  レバータンブラー錠の各レバータンブラーを、略Ｃ字形で相互に重合するタンブラーＡ１ＡとタンブラーＢ１Ｂとを組合わせたものとする一方、支軸２をその両端に突設した偏芯軸の軸線回りを回動できるように支承し、タンブラーＡ１Ａの自由端部内側縁部のタンブラーＢ１Ｂと対向する側に係合突起９を、また、タンブラーＢ１Ｂの内側縁部にはタンブラーＡ１Ａの係合突起９と係合可能な係合凹部１１の複数を夫々形成し、一方、鍵違い変換時支軸２を押し下げ、係合突起９と係合凹部１１との係合を解くようにしたものにおいて、外筒に装着されたアダプターの作動ピン２７を外筒内１６に挿入して、スペーサリング１５を介して支軸２を押し下げる。【選択図】  図８
2005248519.tif 000002
【特許請求の範囲】
【請求項１】
レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒外周面に、外筒中心軸線を挟んで外筒半径方向に延在し、底面が相互に平行な一対の係止溝を形成し、一方、全体の形状が略コ字形で、上記一対の係止溝に嵌め込まれるホルダ部を有するアダプターを設け、このアダプターに、外筒半径方向に延在してその長さ方向に移動可能に案内され、ホルダ部が外筒に嵌め込まれたとき一端が上記作業孔に挿通可能に臨む作動ピンを設けると共に、この作動ピンを外筒から離間する方向に付勢し、また、作動ピンの外側に、作動ピンの他端に当接するカム面の断面がアルキメデス渦巻き線又はこれに類似する曲線の終端に円弧を連接した形状を有し、操作部材を形成したカム体を回動可能に設け、鍵違い変換時、アダプターを外筒に装着し、カム体の操作部材を手指で操作することによりカム体を回動させ、作動ピンを長さ方向に押動してその一端を作業孔から外筒内に挿入することにより、支軸の大径鍔部を内方に押動して、タンブラーＡの係合突起とタンブラーＢの係合凹部とを切り離すようにしたことを特徴とする可変レバータンブラー錠。
【請求項２】
上記支軸の大径鍔部が、支軸内端部に嵌合する蛇の目状のスペーサリングである請求項１に記載の可変レバータンブラー錠。
【請求項３】
上記支軸の大径鍔部が、支軸に一体に形成されたものである請求項１に記載の可変レバータンブラー錠。
【発明の詳細な説明】
【技術分野】
【０００１】
この発明は、可変レバータンブラー錠に係り、特に、鍵違いの変換機構を合理的に変更して構造を簡単にすると共に、外形寸法を小さくすることができる可変レバータンブラー錠に関する。
【背景技術】
【０００２】
本出願人は、先に、後記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
【特許文献６】特願２００３−３６９０００
【発明の開示】
【発明が解決しようとする課題】
【００１７】
上記した構造の可変レバータンブラー錠は、図４に示すように、外筒１６の基部に膨出部１７を突出形成し、この膨出部１７内にスイッチ部材１４を例えば図４で上下方向に案内できる案内洞１８を設けている。
【００１８】
なお、図４で外筒の下方に形成された膨出部は、デザイン上必要なので設けられた膨出部で、可変レバータンブラー錠の必須の構成要素ではない。
【００１９】
しかしながら、外筒に形成された膨出部は、その存在故に可変レバータンブラー錠の構造を複雑にするし、また、外筒の加工が面倒になり、加えて、デザイン上不利である、等種々の不都合の原因となっている。
【００２０】
そこで、本出願人は先に、上記特許文献６を以て、鍵違い変換機構を合理的に変更し、外筒に膨出部を形成しなくても済む可変レバータンブラー錠を提案した。
【００２１】
この発明は、上記特許文献６によって提案された発明を更に改良し、鍵違い変換作業の能率を更に向上させることを目的としている。
【課題を解決するための手段】
【００２２】
上記の目的を達成するため、この発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、支軸の内端部に大径鍔部を形成し、軸線方向においてこの大径鍔部と整合する外筒外周面に、これを外筒半径方向に貫通する作業孔を形成すると共に、この作業孔の近傍における外筒外周面に、外筒半径方向に延在し、外筒中心軸線を挟んで底面が相互に平行な一対の係止溝を形成し、一方、全体の形状が略コ字形で、上記一対の係止溝に嵌め込まれるホルダ部を有するアダプターを設け、このアダプターに、外筒半径方向に延在してその長さ方向に移動可能に案内され、ホルダ部が外筒に嵌め込まれたとき一端が上記作業孔に挿通可能に臨む作動ピンを設けると共に、この作動ピンを外筒から離間する方向に付勢し、また、作動ピンの外側に、作動ピンの他端に当接するカム面の断面がアルキメデス渦巻き線又はこれに類似する曲線の終端に円弧を連接した形状を有し、操作部材を形成したカム体を回動可能に設け、鍵違い変換時、アダプターを外筒に装着し、カム体の操作部材を手指で操作することによりカム体を回動させ、作動ピンを長さ方向に押動してその一端を作業孔から外筒内に挿入することにより、支軸の大径鍔部を内方に押動して、タンブラーＡの係合突起とタンブラーＢの係合凹部とを切り離すようにしたことを特徴とする。
【発明の効果】
【００２３】
上記のように構成されたこの発明による可変レバータンブラー錠は、支軸を駆動するため外筒に摺動可能に案内されたスイッチ部材が不要となるので、外筒に膨出部を形成することなく、単なる筒体とすることができる。
【００２４】
そのため、可変レバータンブラー錠の構造を簡単かつコンパクトにすることができ、また、鍵違い変換時の操作を確実に行える。
【００２５】
更にまた、アダプターを外筒に装着し、カム体の操作部材を操作するだけでタンブラーＡの係合突起とタンブラーＢの係合凹部の切り離し、及び再係合作用を行えるので、上記特許文献６に記載の発明と比較して鍵違い変換作業の能率が各段に向上する、等種々の効果を奏する。
【発明を実施するための最良の形態】
【００２６】
従来の外筒半径方向に摺動するスイッチ部材の代りに、外筒の基部の作業孔を挿通する作動ピンをカム体の回動操作により外筒半径方向に動かし、この作動ピンにより支軸を押動するようにしたので、可変レバータンブラー錠の外筒に膨出部を形成する必要を無くし、また、鍵違い変換作業を極めて容易にした。
【実施例１】
【００２７】
以下、この発明の実施例を図５乃至図８を参照して説明する。
図５において符号１６は可変レバータンブラー錠の外筒を示す。図示の実施例における外筒１６は、プラグアセンブリー２０の外筒１６ａに連設されている。
【００２８】
このプラグアセンブリーの外筒１６ａの基端部で、図８において時計盤面に換算して１２時の角度位置に、外筒１６ａを貫通する作業孔１９が形成されている。
【００２９】
この作業孔１９の外筒軸線方向における位置は、支軸２の基端に嵌装されたスペーサリング１５（図２及び図３参照）と整合する位置に設定されているので、図５に示すように、この作業孔１９から前記スペーサリング１５（大径鍔部）が露出している。
【００３０】
また、図５に示すように、この作業孔１９の近傍における外筒外周面に、外筒中心軸線を挟んで外筒１６の半径方向（紙面方向）に延在し、底面が相互に平行な一対の係止溝２１、２１が形成されている。
【００３１】
図示の実施例では、後述のアダプターを外筒に装着したとき作業孔１９の上下位置が逆にならないように、図５で下方の係止溝２１の幅を上方のそれより大きくしてある。
【００３２】
一方、この発明による可変レバータンブラー錠には、鍵違い変換作業を容易にするため、図６及び図７に示すアダプター２２が付属している。
【００３３】
このアダプター２２は、図示のように、全体の形状が略コ字形で、上記一対の係止溝２１、２１に嵌め込まれるホルダ部２３を備えている。
【００３４】
図示の実施例におけるホルダ部２３は、一対の係止溝２１、２１の夫々に嵌め込まれる第１及び第２シュー２４、２５を備え、これら第１及び第２シュー２４、２５は図５において外筒１６の向う側から係止溝３１に嵌め込まれる。
【００３５】
また、このアダプター２２のホルダ部２３には案内ブロック２６が連設されており、この案内ブロック２６に、外筒半径方向（図６及び図７で上下方向）に延在してその長さ方向に移動可能に案内され、ホルダ部が外筒に嵌め込まれたとき一端が上記作業孔に挿通可能に臨む（図示せず）作動ピン２７（図７参照）が設けられている。
【００３６】
そして、この作動ピン２７は、圧縮コイルばねとしてのピンばね２８の弾力により、外筒１６から離間する方向（図７で上方）に付勢されている。
【００３７】
更にまた、作動ピン２７の外側における案内ブロック２６内には、操作部材３０を一体に形成したカム体２９が回動軸３１の回りを回動可能に設けられている。
【００３８】
このカム体２９は、作動ピン２７の他端（上端）に当接するカム面３２の断面がアルキメデス渦巻き線又はこれに類似する曲線の終端に円弧を連接した形状を有している。
【００３９】
そのため、操作部材３０を手指で押動してこれを図７で反時計方向に回動させると、作動ピン２７はピンばね２８の弾力に抗して下方に移動する。
【００４０】
上記のように構成されたこの発明の一実施例による可変レバータンブラー錠は、図１に示すように、鍵違い変換時それ迄の合鍵５を鍵孔６に挿入してタンブラーＢＩＢの解錠切欠８とロッキングバー１２の内側端縁を整合させる。
【００４１】
次いで、図６に示すように、アダプター２２を外筒の係止溝形成部に嵌め込み、操作部材３０を操作して作動ピン２７の下端を作業孔１９から外筒内に差込む。
【００４２】
すると、図８に示すように、作業孔１９を挿通した作動ピン２７の下端が支軸の大径鍔部であるスペーサリング１５の外周縁を、支軸ばね３３（図４参照）の弾力に抗して下方に押動する。
【００４３】
そのため、支軸２は図８において偏芯軸３（図２及び図３参照）の回りを時計方向に少し回動し、この支軸２の回動に伴ってタンブラーＢＩＢが下方に移動して、係合突起９と係合凹部１１との係合を解く。
【００４４】
次いで新しい合鍵を挿入すると、タンブラーＡ１Ａは新しい合鍵の鍵溝に対応した角度位置に迄回動するので、この状態で操作部材３０を時計方向に回動させて図７に示す角度位置に戻すと、作動ピン２７の下端は外筒の作業孔１９から抜去される。
【００４５】
すると、上記支軸ばね３３の弾力によってタンブラーＢ１Ｂが上昇し、その何れかの係合凹部１１が新しい角度位置における係合突起９と係合し、このようにしてタンブラーＡ１ＡとタンブラーＢ１Ｂとの新しい相対角度位置が定まる。
【００４６】
なお、図示の実施例では、支軸の大径鍔部を支軸とは別体のスペーサリングとし、これを支軸の内端部に嵌装するものとしたが、これは支軸を削り出すとき、或いは塑性加工するとき、支軸と一体に削り出し、或いは形成してもよいことは勿論である。
【図面の簡単な説明】
【００４７】
【図１】従来の可変レバータンブラー錠の支持機構の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】従来の可変レバータンブラー錠の一部断面側面図。
【図５】この発明の一実施例による可変レバータンブラー錠の一部断面側面図。
【図６】アダプターの正面図。
【図７】アダプターの断面図。
【図８】この発明の要部を示す図１と同様の可変レバータンブラー錠の拡大横断面図で、変換突起を外筒内に挿入すると共に、それまでの合鍵を一度挿入して抜いた状態を示す。
【符号の説明】
【００４８】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  大径鍔部
１６  外筒
１９  作業孔
２０  プラグアセンブリー
２１  係止溝
２２  アダプター
２３  ホルダ部
２７  作動ピン
２９  カム体
３０  操作部材
３１  回動軸
３２  カム面
【図１】
2005248519.tif 000003
【図２】
2005248519.tif 000004
【図３】
2005248519.tif 000005
【図４】
2005248519.tif 000006
【図５】
2005248519.tif 000007
【図６】
2005248519.tif 000008
【図７】
2005248519.tif 000009
【図８】
2005248519.tif 000010